(57)【要約】【課題】簡単な手段により、調整後における調節ねじの移動を阻止してインジェクタの基本流量特性の変動や再調整を防止する。【解決手段】ヨーク２１、コア２２、可動弁２３で駆動源となる電磁弁２を構成し、可動弁２３の先端に弁を内装した燃料を噴射するための噴射口を有する噴射ノズルが配置されて噴射弁を形成しているとともに可動弁２３に戻しばねの付勢力を与えて可動弁２３を戻しばねの付勢力に抗して所定の時間だけ移動させることにより噴射弁を開放して噴射ノズルから気体燃料をエンジンに噴射し、コア２２の軸孔２４に基端側の開口２５から螺挿した戻しばねの付勢力を調節する調節ねじ３を有するインジェクタにおいて、コア２２の軸孔２４に基端側の開口２５から接着剤５を充填して固化させることにより調節ねじ３の開口２５から露出している基端部３１を覆って調節ねじ３の緩み防止と再調整の阻止を図る。【選択図】図１
2009062904.tif 000002
【特許請求の範囲】
【請求項１】
ヨーク、コア、可動弁で駆動源となる電磁弁を構成し、前記可動弁の先端に弁を内装した燃料を噴射するための噴射口を有する噴射ノズルが配置されて噴射弁を形成しているとともに前記可動弁に戻しばねの付勢力を与えて前記可動弁を前記戻しばねの付勢力に抗して所定の時間だけ移動させることにより前記噴射弁を開放して前記噴射ノズルから気体燃料をエンジンに噴射し、前記コアの軸孔に基端側の開口から螺挿した前記戻しばねの付勢力を調節する調節ねじを有するインジェクタにおいて、前記コアの軸孔に基端側の開口から接着剤を充填して固化させることにより前記調節ねじの前記開口から露出している基端部を覆って前記調節ねじの緩み防止と再調整の阻止を図ることを特徴とするインジェクタ 。
【請求項２】
前記接着剤が紫外線硬化型接着剤であることを特徴とする請求項１記載の燃料噴射弁。
【発明の詳細な説明】
【技術分野】
【０００１】
本発明は、エンジンに気体燃料を供給するインジェクタ 、特に、電磁弁と戻しばねにより前記電磁弁を構成する可動弁の先端に内装した弁を開閉して燃料を噴射ノズルから噴射するインジェクタに関するものである。
【背景技術】
【０００２】
従来、例えば特開昭５５−４０３９１号公報、特開平６−３３６９６１号公報、特開平７−１５１０３４号公報等に広く開示されているように電磁弁と戻しばねによりエンジンへの燃料噴射量を調整するようにしたインジェクタが知られており、これらのインジェクタは、例えば図２に示すように、ヨーク２１、コア２２、可動弁２３で駆動源となる電磁弁２を構成し、前記可動弁２３の先端に弁を内装した燃料を噴射するための噴射口を有する噴射ノズルが配置されて噴射弁を形成している（図示せず）とともに前記可動弁２３に戻しばね（図示せず）の付勢力を与えて前記可動弁２３を前記戻しばねの付勢力に抗して所定の時間だけ移動させることにより前記噴射弁を開放して前記噴射ノズルから気体燃料をエンジンに噴射するものである。
【０００３】
そして、前記従来のインジェクタにおいては、前記電磁弁２を構成するコア２２の軸孔２４に基端側の開口２５から螺挿した調節ねじ３により戻しばねの前記可動弁２３への付勢力を調節することにより、インジェクタの基本流量特性を調整している。
【０００４】
従って、前記調節ねじ３が操作されるとインジェクタの基本流量特性が変化してエンジン特性や排気ガス特性などに影響を与えることになることから製品の納品後に前記調節ねじ３の再調整を阻止しており、その手段として例えば実公平５−２６３００号公報等に提示されているように、調節ねじ３の基端側の突出部に固定ナット５を螺締するとともにこれらに接着剤を塗布して調節ねじ３の緩みを防止するとともに再調整を阻止することが行われている。
【０００５】
ところが、前記従来の固定ナット５に接着剤を併用するインジェクタにおける調節ねじ３の固定手段においては、前記固定ナット５は比較的簡単に取り外しが可能であり、また、通常の場合に調節ねじ３は非常に細いものを用いることから取り外すと接着剤の効果でねじ山を破損してしまい取り外しが不可能になる。
【０００６】
また、例えば特開平１０−９０９３号公報等に提示されているように、調節ねじを螺挿したコアの軸孔にカバーを被せることにより再調整を防止する手段も採られているが、全体が大型化するとともに高価格になるという問題がある。
【特許文献１】特開昭５５−４０３９１号公報
【特許文献２】特開平６−３３６９６１号公報
【特許文献３】特開平７−１５１０３４号公報
【特許文献４】実公平５−２６３００号公報
【特許文献５】特開平１０−９０９３号公報
【発明の開示】
【発明が解決しようとする課題】
【０００７】
本発明は上記実情に鑑みてなされたものであり、簡単な手段により、調整後における調節ねじの移動を阻止してインジェクタの基本流量特性の変動や再調整を防止することが可能なインジェクタを安価に提供することを課題とする。
【課題を解決するための手段】
【０００８】
上記目的を達成するため本発明は、ヨーク、コア、可動弁で駆動源となる電磁弁を構成し、前記可動弁の先端に弁を内装した燃料を噴射するための噴射口を有する噴射ノズルが配置されて噴射弁を形成しているとともに前記可動弁に戻しばねの付勢力を与えて前記可動弁を前記戻しばねの付勢力に抗して所定の時間だけ移動させることにより前記噴射弁を開放して前記噴射ノズルから気体燃料をエンジンに噴射し、前記コアの軸孔に基端側の開口から螺挿した前記戻しばねの付勢力を調節する調節ねじを有するインジェクタにおいて、前記コアの軸孔に基端側の開口から接着剤を充填して固化させることにより前記調節ねじの前記開口から露出している基端部を覆って前記調節ねじの緩み防止と再調整の阻止を図ることを特徴とする。
【０００９】
また、本発明において、前記接着剤が紫外線硬化型接着剤である場合には、その取り扱いや作業工程などの面において生産性や作業効率の向上が図れるばかりか、接着剤自身が完全に硬化せずに固着後もある程度の粘性を有していることから接着剤の破壊が困難であることから調節ねじのねじ溝や操作溝から接着剤を剥離することができず、再調整をきわめて有効に防止することが可能である。
【発明の効果】
【００１０】
以上、本発明によれば、簡単な構成で且つ安価な手段により、インジェクタの可動弁への押圧力を調整する調節ねじの緩みや再調整を防止して、設定した基本流量特性の維持を図ることができる。
【発明を実施するための最良の形態】
【００１１】
次に、本発明の好ましい実施の形態を図面に基づいて詳細に説明する。
【００１２】
図１は本発明の好ましい実施の形態を示すものであり、本発明であるインジェクタは１は前記図２に示した従来のものと同様に、ヨーク２１、コア２２、可動弁２３で駆動源となる電磁弁２を構成し、前記可動弁２３の先端に弁を内装した燃料を噴射するための噴射口を有する噴射ノズルが配置されて噴射弁を形成している（図示せず）とともに前記可動弁２３に戻しばねの付勢力を与えて前記可動弁２３を前記戻しばねの付勢力に抗して所定の時間だけ移動させることにより前記噴射弁を開放して前記噴射ノズルから気体燃料をエンジンに噴射するものであり、前記電磁弁２を構成するコア２２の軸孔２４に基端側の開口２５から螺挿した調節ねじ３により戻しばねの前記可動弁２３への付勢力を調節することにより、インジェクタの基本流量特性を調整するものである。
【００１３】
そして、本実施の形態では、特に、前記コア２２に形成した前記調節ねじ３を螺挿する軸孔２４の基端側の開口２５が少なくとも前記螺挿した調節ねじ３の基端部３１の端面に形成した操作面４１よりも基端方向に長く形成されており、軸孔２４における基端側の開口２５から露出している調節ねじ３の基端部３１が充填、固化させた例えばアクリル樹脂やエポキシ樹脂などの紫外線硬化型接着剤５により固着されている。
【００１４】
従って、前記調節ねじ３の基端部３１が固化した接着剤５により所定の螺挿位置で軸孔２４に固定されることから緩む心配がないばかりか再調整もしにくい。また、前記調節ねじ３は前記所定の粘性を有して硬化する紫外線硬化形の接着剤５により固着されていることから接着剤の破壊を試みても調節ねじ３から剥離するのが困難であり、再調整ができない。
【００１５】
また、本実施の形態は、前述のように前記コア２２に形成した軸孔２４に前記調節ねじ３を螺挿するとともにインジェクタの基本流量特性が得られる位置に調整した後、前記軸孔２４における基端側の開口２５から硬化前の流動性を有する紫外線硬化型接着剤５を充填して、例えば紫外線発生ランプを所定の時間照射して所定の硬さに硬化させるだけの簡単な作業で調節ねじ３を固定することができるので作業がきわめて簡単で且つ確実であるばかりか、接着剤５だけで余計な部品も必要とせず、部品の調達や管理も不要で経済的にも優れている。
【００１６】
尚、本実施の形態では接着剤として硬化後にも一定の粘性を発揮する紫外線硬化型接着剤を用いたので前述のような優れた作用・効果を発揮するが、接着剤５は特に紫外線硬化型接着剤に限るものではない。
【図面の簡単な説明】
【００１７】
【図１】本発明の実施の形態を示す一部を破断した斜視図であり、（ａ）は全体図、（ｂ）は要部の拡大図。
【図２】従来例を示す一部を破断した斜視図であり、（ａ）は全体図、（ｂ）は要部の拡大図。
【符号の説明】
【００１８】
１ インジェクタ 、 ２ 電磁弁、 ３  調節ねじ、  ５  接着剤、  ２１ ヨーク、 ２２ コア、 ２３ 可動弁、  ２５  開口、  ３１  基端部
【図１】
2009062904.tif 000003
【図２】
2009062904.tif 000004